(57)【要約】【課題】建具の枠体の室内側見付け面に、枠体と別体のアングルが取付けられる建具において、縦横のアングルの突き合わせ部における漏水を防止できる構成の建具を提供する。【解決手段】建具枠を構成する縦横の枠体１２，１４の室内側見付け面に、枠体１２，１４と別体のアングル１６，１８が固定される。枠体１２，１４の室内側見付け面とアングル１６，１８との間に第１のシーリング材２５が設けられる。縦横の枠体１２，１４間のコーナー部におけるアングル１６，１８の端部１６ｅ，１８ｅ間の領域２７に、端部１６ｅ，１８ｅと枠体１２，１４の見付け面１２ａ，１４ａとの間を覆う第２のシーリング材３４が設けられている。【選択図】図８
2018138747.tif 000002
【特許請求の範囲】
【請求項１】
建具枠を構成する縦横の枠体と別体をなし、前記縦横の枠体の室内側見付け面に固定される縦横のアングルと、
前記枠体の前記室内側見付け面と前記アングルとの間に設けられる第１のシーリング材と、
前記縦横のアングルの相互の突き合わせ部において、縦横のアングルの長手方向の端部と前記枠体の見付け面との間を覆う第２のシーリング材とを備えたことを特徴とする建具。
【請求項２】
前記アングルは、前記枠体の室内側見付け面に固定具により固定される見付け面部と、その見付け面部における見付け方向の内端から室内側に突出して形成された見込み面部とを有し、
前記第２のシーリング材は、前記縦横のアングルの見込み面部どうしの突き合わせ部から、少なくとも、アングルの長手方向の端部における、前記第１のシーリング材の露出部の見付け方向の幅の全領域にわたって覆うように設けられていることを特徴とする請求項１に記載の建具。
【請求項３】
前記アングルは、前記枠体の室内側見付け面に対面する対面部に、前記第１のシーリング材を設ける凹部を備えたことを特徴とする請求項１または２に記載の建具。
【請求項４】
前記アングルにおける前記枠体の室内側見付け面との対面部における、見付け方向の内端に、前記枠体の室内側見付け面に当接される弾性を有するフィンが設けられていることを特徴とする請求項１から３までのいずれか１項に記載の建具。
【請求項５】
前記アングルは、前記枠体の室内側見付け面に固定具により固定される見付け面部と、その見付け面部における見付け方向の内端から室内側に突出して形成された見込み面部とを有し、
前記縦横のアングルの前記見込み面部どうしの突き合わせ部の外周面を覆う第３のシーリング材を備えたことを特徴とする請求項１から４までのいずれか１項に記載の建具。
【発明の詳細な説明】
【技術分野】
【０００１】
本発明は、建具枠の室内側見付け面にアングルが固定される建具に係わり、特にその防水構造に関する。
【背景技術】
【０００２】
窓等の建具においては、建具枠を構成する縦横の枠体の室内側見付け面に、樹脂製のアングルを固定具により固定して構成されたものがある（例えば特許文献１参照）。このような建具においては、枠体とアングルとの間の隙間から建物の躯体側への漏水を防止するために、枠体とアングルとの間に防水用のシーリング材が設けられる。
【先行技術文献】
【特許文献】
【０００３】
【特許文献１】特開２０１５−１０５５０４号公報
【発明の概要】
【発明が解決しようとする課題】
【０００４】
前述したように、建具枠の枠体にアングルを固定した従来の建具においては、枠体のアングルとの間のコーナー部にコーキング材を塗布して防水処理がなされる。しかしながら、コーキング材が部分的に切れたりすると、枠体とアングルとの間に水が浸入する。枠体とアングルとの間にはシーリング材が介在しているので、枠体とアングルとの間からは躯体側に直接的に漏水することはない。しかしながら、枠体とアングルとの間に至った水が、アングルの長手方向に流動して、縦横のアングル間の突き合わせ部に至ると、その突き合わせ部から躯体側へ漏水するおそれがある。
【０００５】
本発明は、上記問題点に鑑み、建具の枠体の室内側見付け面に、枠体と別体のアングルが取付けられる建具において、縦横のアングルの突き合わせ部における漏水を防止できる構成の建具を提供することを目的とする。
【課題を解決するための手段】
【０００６】
本発明の建具は、建具枠を構成する縦横の枠体と別体をなし、前記縦横の枠体の室内側見付け面に固定される縦横のアングルと、
前記枠体の前記室内側見付け面と前記アングルとの間に設けられる第１のシーリング材と、
前記縦横のアングルの相互の突き合わせ部において、縦横のアングルの長手方向の端部と前記枠体の前記見付け面との間を覆う第２のシーリング材とを備えたことを特徴とする。
【０００７】
本発明の建具は、前記建具において、
前記アングルは、前記枠体の室内側見付け面に固定具により固定される見付け面部と、その見付け面部における見付け方向の内端から室内側に突出して形成された見込み面部とを有し、
前記第２のシーリング材は、前記縦横のアングルの見込み面部どうしの突き合わせ部から、少なくとも、アングルの長手方向の端部における、前記第１のシーリング材の露出部の見付け方向の幅の全領域にわたって覆うように設けられていることを特徴とする。
【０００８】
また、本発明の建具は、前記建具において、
前記アングルは、前記枠体の室内側見付け面に対面する対面部に、前記第１のシーリング材を設ける凹部を備えたことを特徴とする。
【０００９】
また、本発明の建具は、前記建具において、
前記アングルにおける前記枠体の室内側見付け面との対面部における、見付け方向の内端に、前記枠体の室内側見付け面に当接される弾性を有するフィンが設けられていることを特徴とする。
【００１０】
また、本発明の建具は、前記建具において、
前記アングルは、前記枠体の室内側見付け面に固定具により固定される見付け面部と、その見付け面部における見付け方向の内端から室内側に突出して形成された見込み面部とを有し、
前記縦横のアングルの前記見込み面部どうしの突き合わせ部の外周面を覆う第３のシーリング材を備えたことを特徴とする。
【発明の効果】
【００１１】
本発明の建具によれば、縦横のアングルの相互の突き合わせ部において、躯体側への漏水を防止できる。
【図面の簡単な説明】
【００１２】
【図１】本発明による建具の一実施の形態を示す縦断面図である。
【図２】本実施の形態の建具の部分横断面図である。
【図３】本実施の形態の建具枠を斜め下方から見た斜視図である。
【図４】図２のＥ−Ｅ拡大断面図である。
【図５】本実施の形態の建具において、縦横のアングルの突き合わせ部を、シーリング材を固着する前の状態で斜め下方から見た斜視図である。
【図６】本実施の形態の建具において、縦横のアングルの突き合わせ部をアングルの長手方向の端部から見た図である。
【図７】本実施の形態の建具において、縦横の枠体およびアングルの突き合わせ部を、コーキング材を固着した後の状態で斜め上方から見た斜視図である。
【図８】本実施の形態の建具において、縦横の枠体およびアングルの突き合わせ部を、シーリング材を固着した後の状態で斜め下方から見た斜視図である。
【図９】本実施の形態の建具において、縦横の枠体およびアングルの突き合わせ部を、シーリング材を固着した後の状態で室内側から見た正面図である。
【発明を実施するための形態】
【００１３】
図１は本発明による建具の一実施の形態を示す縦断面図、図２はその部分横断面図、図３は建具枠を示す斜視図である。本実施の形態の建具１は、建具枠２内に引き違い状に障子３，４が装着された引き違い窓である場合について示す。
【００１４】
建具枠２は窓台５、まぐさ６および柱（図示せず）により構成される建物の開口部７内に嵌め込まれて固定具８により固定される。開口部７を構成する壁９の室内側には内装材１０が設けられ、室外側には外装材１１が設けられる。
【００１５】
建具枠２は、縦枠を構成する左右の枠体１２と、横枠を構成する上下の枠体１３，１４とにより構成される。本実施の形態の枠体１２，１３，１４は樹脂製押出形材でなり、これらの枠体１２，１３，１４は互いの突き合わせ部において、枠体１２，１３，１４の長手方向に対して傾斜した溶着部１５（図３参照）で接合されている。ただし本発明は、枠体１２，１３，１４が金属製押出形材で構成される場合にも適用できる。
【００１６】
各枠体１２，１３，１４の室内側見付け面１２ａ，１３ａ，１４ａに、それぞれ、枠体１２，１３，１４と別体に構成される樹脂製のアングル１６，１７，１８が、図２、図４に示すように、タッピングねじ等の固定具１９により固定されている。アングル１６，１７，１８は、額縁２０，２１，２２に木ねじ等の固定具２３により固定される。
【００１７】
アングル１６，１８は、図２、図４、図５に示すように、枠体１２，１４の室内側見付け面１２ａ，１４ａに対面する見付け面部１６ａ，１８ａと、各見付け面部１６ａ，１８ａから室内側に突出した見込み面部１６ｂ，１８ｂとを有する。見込み面部１６ｂ，１８ｂは、見付け面部１６ａ，１８ａにおける見付け方向の内端１６ｃ，１８ｃから室内側に突出して形成されている。アングル１６，１８の端部１６ｅ，１８ｅ（図５参照）は、アングル１６，１８の長手方向に対しってほぼ直角に切断された形状を有する。アングル１７も同様の構造を有する。
【００１８】
図４に示すように、枠体１４に取付けるアングル１８は、枠体１４の室内側見付け面１４ａに対面する対面部に、凹部１８ｄを有する。この凹部１８ｄは、見付け面部１８ａにおける固定具１９により固定される部位よりも、見付け方向の内側に、見付け面部１８ａの内端１８ｃにわたって設けられている。
【００１９】
アングル１８の凹部１８ｄと枠体１４の室内側見付け面１４ａとの間に第１のシーリング材２５を介在させる。第１のシーリング材２５としては、防水作用を有する弾性を有するゴムや樹脂等を用いてもよい。しかし、この第１のシーリング材２５として、接着剤または接着性を有する部材を用いることにより、枠体１４とアングル１８とを固定する固定具１９の間が、これらの部材の変形等によって部分的に離間することを防止することができる。この実施例においては、この第１のシーリング材２５として両面とも粘着性を有する両面テープを用いた。
【００２０】
第１のシーリング材２５は、凹部１８ｄのうち、アングルの見付け方向の内端１８ｃ側の一部を残して固着されている。そして第１のシーリング材２５が固着されていない領域に、弾性を有する例えば塩化ビニル樹脂等からなる防水用のフィン２６が固着されている。このフィン２６は、枠体１４の室内側見付け面１４ａに当接させて防水作用を発揮すると共に、凹部１８ｄと枠体１４の見付け面１４ａとの間の隙間を隠すものである。枠体１２，１３とアングル１６，１７との間にも、図４に示した凹部１８ｄ、第１のシーリング材２５およびフィン２６と同様の凹部、第１のシーリング材およびフィンが設けられる。
【００２１】
図５、図６は、枠体１２，１４にそれぞれアングル１６，１８を取付けた状態を示す。図５に示すように、アングル１６の凹部１６ｄと枠体１２の見付け面１２ａとの間に第１のシーリング材２５が設けられる。
【００２２】
図５、図６に示すように、アングル１６，１８の突き合わせ部２４においては、アングル１６，１８の端部１６ｅ，１８ｅ間にアングルおよび第１のシーリング材２５が無い領域２７が生じる。また、本実施の形態においては、アングル１６，１８の凹部１６ｄ，１８ｄの全面に第１のシーリング材２５が設けられておらず、フィン２６の領域とその近傍には第１のシーリング材２５が設けられていないことから、アングル１６，１８の長手方向の端部に、この第１のシーリング材２５が無い領域２８が露出する。また、アングル１６，１８の突合せ部２４において、アングル１６の見込み面部１６ｂの端面（小口）と、アングル１８の見込み面部１８ｂの上面とが突き合わせ部２４ａにおいて当接しており、アングル１６の見付け面部１６ａの端面（小口）と、アングル１８の見付け面部１８ａの端面（小口）とは当接していない。
【００２３】
図７は建具１を開口部７に設置した後に施工する防水用のコーキング材を示しており、アングル１６，１８の見込み面部１６ｂ，１８ｂと枠体１２，１４の見付け面１２ａ，１４ａとの間の隅部にコーキング材３０が施工される。他の枠体１３の見付け面とアングル１７の見込み面部との間にも同様のコーキング材（図示せず）が施工される。また、アングル１６，１８の突き合わせ部２４で形成される隅部にもコーキング材３１が施工される。アングル１６，１７の突き合わせ部２４で形成される隅部にもコーキング材（図示せず）が施工される。また、図４に示すように、アングル１８と額縁２２との間に形成される段差部にもコーキング材３２が施工される。他のアングル１６，１７と対応する額縁２０，２１との突き合わせ部にも同様にコーキング材（図示せず）が施工される。
【００２４】
このように構成された建具１は、例えば浴室のようにシャワー等の水が当たり得る場所に設置することが好適であり、障子３，４や建具枠２にかかる水はコーキング材３０により枠体１２，１３，１４とアングル１６，１７，１８との間から躯体側に浸入することを防ぐことができる。
【００２５】
しかしながら、コーキング材３０が劣化や外力の作用等により切れたりして枠体１２，１３，１４とアングル１６，１７，１８との間に水が浸入するおそれがある。その水は、弾性を有するフィン２６によっては十分に防水できず、第１のシーリング材２５に至る。そのため、第１のシーリング材２５の存在する部分からの水の躯体側への浸入は防止される。しかしながら、第１のシーリング材２５の領域に至った水が、アングル１６，１７，１８の長手方向に沿って移動し、アングル１６，１７，１８の端部に至ると、第１のシーリング材２５の無い領域２７から壁９の内部、すなわち躯体側に浸入し、躯体を構成する木材等の構成部材を劣化させる。
【００２６】
このようなアングル１６，１７，１８の端部における水の浸入を防止するため、本発明においては、図８、図９に示すように、アングル１６，１８の長手方向の端部１６ｅ，１８ｅと枠体１２，１４の見付け面１２ａ，１４ａとの間を覆う第２のシーリング材３４を設ける。本実施の形態においては、第２のシーリング材３４が容易に剥離しないように、アングル１６，１８の端部１６ｅ，１８ｅと、その近傍の見付け面部１６ａ，１８ａと、端部１６ｅ，１８ｅの近傍の枠体１２，１４の見付け面１２ａ，１４ａに固着して設けている。
【００２７】
より詳しくは、第２のシーリング材３４は、アングル１６，１８の端部１６ｅ，１８ｅのうち、凹部１６ｄ，１８ｄの第１のシーリング材２５が無い領域２８で、見付け面部１６ａ，１８ａと、枠体の１２ａ，１４ａの室内側見付け面との間で形成される隙間を覆う。また、縦横のアングル１６，１８と枠体１２，１４との間の第１のシーリング材２５が、縦横のアングル１６，１８の突き合わせ部２４で途切れた部分を、第２のシーリング材３４によって繋ぐことにより、枠体１２，１３，１４の水密ラインを４周で連続させる。
【００２８】
すなわち、本実施の形態においては、この第２のシーリング材３４は、縦横のアングル１６，１８の見込み面部１６ｂ，１８ｂどうしの突き合わせ部２４ａから、アングル１６，１８の長手方向の端部１６ｅ，１８ｅにおける、第１のシーリング材２５の露出部の見付け方向の幅Ｗの全領域にわたって覆うように設けられている。また、第２のシーリング材３４は、少なくとも、アングル１６，１８の長手方向の端部１６ｅ，１８ｅおよびアングル１６，１８の端部１６ｅ，１８ｅ間の領域２７を覆い、第１のシーリング材２５の長手方向の端部がアングル１６，１８の端部１６ｅ，１８ｅから露出しないように構成している。これにより、第２のシーリング材３４はアングル１６，１８と枠体１２，１４間を介して水圧にも耐えられる構成としている。
【００２９】
本実施の形態においては、第２のシーリング材３４に加えて、第３のシーリング材３５も設けている。なお、実施例においては、これらのシーリング材３４，３５としてブチル系樹脂製粘着テープを用いたが、他の材質の粘着テープを用いることができる。
【００３０】
第３のシーリング材３５は、アングル１６，１８の突き合わせ部２４において、アングル１６，１８の外周面を覆うシート状をなすものである。第２のシーリング材３４の内周端３４ａと第３のシーリング材３５の室外側端３５ａとは両者間に隙間が生じないように相互に密着されている。アングル１６と１７との間にも同様の構造で第２のシーリング材３４と第３のシーリング材３５とが設けられる。
【００３１】
このように、本実施の形態においては、縦横の枠体１２，１４とアングル１６，１８との間に第１のシーリング材２５が設けられると共に、アングル１６，１８間の突き合わせ部２４におけるアングル１６，１８の端部１６ｅ，１８ｅを覆うように第２のシーリング材３４が設けられているため、コーキング材３０が切れる等により枠体１２，１４とアングル１６，１８との隙間の内部に至った水がアングル１６，１８に沿って流動し、縦横のアングル１６，１８の突き合わせ部２４に至っても、第２のシーリング材３４によって躯体側への漏れが防止される。アングル１６，１７間においても同様の防水シールがなされることにより、アングル１６，１７間の突き合わせ部においても同様の防水効果が得られる。
【００３２】
特に本実施の形態のように、第２のシーリング材３４を、縦横のアングル１６，１８の見込み面部１６ｂ，１８ｂの突き合わせ部２４ａから、少なくとも、アングル１６，１８の長手方向の端部１６ｅ，１８ｅにおける、第１のシーリング材２５の露出領域の幅Ｗの全体にわたって覆うように設けることにより、アングル１６，１８の突き合わせ部２４における防水シールがよく確実に行なわれる。
【００３３】
また、本実施の形態においては、第３のシーリング材３５を設けたので、縦横のアングル１６，１７，１８の見込み面部１６ｂ，１７ｂ，１８ｂどうしの突き合わせ部２４からの躯体側への漏水も防止することができる。
【００３４】
また、アングル１６，１８における枠体１２，１４の室内側見付け面１２ａ，１４ａに対する対面部に、第１のシーリング材２５を介在させる凹部１６ｄ、１８ｄを備えたので、第１のシーリング材２５を収容する充分なスペースが確保され、防水性が向上する。
【００３５】
また、第１のシーリング材２５をその厚みに応じた凹部１６ｄ，１８ｄに収容されることにより、アングル１６，１８が枠体１２，１４に対して、第１のシーリング材２５から離れた位置で固定具１９により締結されていても、アングル１６，１８の見付け面部１６ａ，１８ａが第１のシーリング材２５から受ける反力が小さくなる。このため、アングル１６，１８の第１のシーリング材２５を設けた部分が反って枠体１２，１４から離れて、枠体１２，１４とアングル１６，１８との間に隙間を生じることがない。従って外観の良い状態でアングル１６，１８が取付けられる。
【００３６】
本発明の建具において、アングル１６，１８にフィン２６を設けたものにおいては、防水性が向上する。また、フィン２６はアングル１６，１８と枠体１２，１４との隙間を覆うことにより、外観が向上する。
【００３７】
以上本発明を実施の形態により説明したが、第２のシーリング材３４は、第１のシーリング材２５の露出部の見付け方向の幅Ｗの全領域のみならず、アングル１６，１８の見付け方向の全幅または全幅に近い範囲を覆うように設けてもよい。また、上記の実施の形態においては、第２のシーリング材３４と第３のシーリング材３５とを別体に構成したが、これらは一体に構成してもよい。また、本発明は、引き違い窓等の開閉可能な窓のみでなく、嵌め殺し窓等にも適用可能である。また、本発明は、浴室に設ける窓のみではなく、比較的水が飛散しやすい環境に好適に用いることができる。その他、本発明の要旨を逸脱しない範囲において、構成部材やその組み合わせについて、種々の変更、付加が可能である。
【符号の説明】
【００３８】
１  建具
２  建具枠
１２，１３，１４  枠体
１２ａ，１４ａ  室内側見付け面
１６，１７，１８  アングル
１６ａ，１８ａ  見付け面部
１６ｂ，１８ｂ  見込み面部
１６ｄ，１８ｄ  凹部
１６ｅ，１８ｅ  長手方向の端部
２０，２１，２２  額縁
２４  突き合わせ部
２４ａ  見込み面部どうしの突き合わせ部
２５  第１のシーリング材
２６  フィン
２７  アングルの端部間の領域
３４  第２のシーリング材
３５  第３のシーリング材
【図１】
2018138747.tif 000003
【図２】
2018138747.tif 000004
【図３】
2018138747.tif 000005
【図４】
2018138747.tif 000006
【図５】
2018138747.tif 000007
【図６】
2018138747.tif 000008
【図７】
2018138747.tif 000009
【図８】
2018138747.tif 000010
【図９】
2018138747.tif 000011